(57)【特許請求の範囲】
【請求項１】
基板の表面に導電膜を設けたタッチパネルと、前記導電膜の外周の第１の点と第２の点を通して導電膜に交流電流を供給する交流電流発生手段と、前記第１の点から供給された第１の電流を計測する第１の電流計測手段と、前記第２の点から供給された第２の電流を計測する第２の電流計測手段とを備え、計測された第１と第２の電流からタッチ位置を算出するタッチパネル装置において、少なくとも前記第１の点と前記第１の電流計測手段の一端との接続点と前記交流電流発生手段の一端間にスイッチを介して接続されるインピーダンスと、前記スイッチをＯＮしたときの電流計測手段の前記第１と第２の電流計測値から前記電流計測手段と前記導電膜との抵抗比を算出する手段と、前記スイッチをＯＦＦしたときの電流計測手段の第１と第２の電流計測値と前記算出された抵抗比とからタッチパネル上のタッチ位置を算出することを特徴とするタッチパネル装置。
【請求項２】
前記スイッチを一定周期でＯＮ及びＯＦＦさせ、ＯＮしたときの前記第１と第２の電流計測値あるいはこの第１と第２の電流計測値より算出した前記抵抗比を記憶しておき、この記憶された第１と第２の電流計測値あるいは抵抗比と、前記スイッチをＯＦＦしたときの第１と第２の電流計測値とからタッチパネル上のタッチ位置を算出することを特徴とする請求項１記載のタッチパネル装置。
【請求項３】
前記タッチ位置の算出値に対応する補正されたタッチ位置情報からなる表を設け、前記表からタッチ位置の算出値に対応する補正されたタッチ位置を求めることを特徴とする請求項１記載のタッチパネル装置。
【請求項４】
前記算出したタッチ位置を補正するための補正演算式を記憶しておき、算出したタッチ位置を補正演算式に適用し、タッチパネル上のタッチ位置を補正演算することを特徴とする請求項１記載のタッチパネル装置。
【請求項５】
前記タッチパネルは、前記導電膜の外周に低抵抗の導電物からなる電極を設けたことを特徴とする請求項１、請求項２、請求項３または請求項４記載のタッチパネル装置。
【発明の詳細な説明】
【０００１】
【発明の属する技術分野】
本発明は、使用者が指や導電性のペン等で、基板の表面に導電膜を設けたタッチパネル表面にタッチした位置を検出するタッチパネル装置に関し、特に使用者が質問に応答するために選択し、タッチするタブレット、あるいはコンピュータ情報処理システムに接続したディスプレイ（ＣＲＴ、液晶パネル等）表面上の情報項目（メニュー）を使用者が選択するために用いられるタッチパネル装置に関する。
【０００２】
【従来の技術】
上記のようなタッチパネル装置としては、特許出願公表昭５６−５００２３０号公報「タッチパネルシステム及び方法」、特許出願公開昭６３−１０８４２３号公報「指タッチ式座標出力装置」等がある。
【０００３】
これら装置のタッチ位置検出原理を示す概略図を図１１に示す。タッチパネル上の導電膜の両端には、それぞれ電流計測用抵抗器の一端が接続され、電流計測用抵抗器の他端は共通接続点を有し、一端が接地された交流電源に接続されている。そして、導電膜上の任意の位置に片側が接地された指や導電性のペン等のインピーダンスＺによってタッチされる。
【０００４】
この状態で、導電膜の一端と指との間の抵抗値をＲL 、導電膜の他端と指との抵抗値をＲH 、導電膜の全抵抗をＲ0 とする。また、電流計測用抵抗器の抵抗をそれぞれ同じ抵抗値ＲK とし、両端の電圧をそれぞれＶ1 、Ｖ2 とする。
【０００５】
このとき、以下の式が成り立つ。
【０００６】
【数１】
0003834194.tif 000002
【０００７】
この式より、電圧Ｖ1 及びＶ2 の測定値だけから指でタッチした位置を検出することができる。
【０００８】
【発明が解決しようとする課題】
公報の「タッチパネルシステム及び方法」及び「指タッチ式座標出力装置」では、次のような問題点がある。ａ．上記の（１）の式では、導電膜の抵抗Ｒ0 の値を式に代入する必要があるが、導電膜は経年変化や設置環境により、一定値を入力すると検出精度が低下する。また、抵抗値を位置検出の度に測定し、その値を代入するのは、測定回路が複雑で高価になる。また、導電膜の抵抗値のバラツキが大きく、量産の場合の歩留まりが悪いため、タッチパネルのコストアップ原因になる。ｂ．導電膜の外周に設けられた低抵抗の導電物からなる電極も抵抗を有しているため、図９に示すように、Ｘ軸またはＹ軸の両端ではＲL ／Ｒ0 の値は、コーナ部では０または１となり、コーナ部から外れた部分では０または１から離れた値となる。そのため、上記（１）式では検出精度が著しく低下する。
【０００９】
この発明は上記問題点に着目してなされたものであって、位置検出精度が良く、安価に生産し得るタッチパネル装置を提供することを目的とする。
【００１０】
【課題を解決するための手段】
本発明の請求項１記載のタッチパネル装置は、基板の表面に導電膜を設けたタッチパネルと、前記導電膜の外周の第１の点と第２の点を通して導電膜に交流電流を供給する交流電流発生手段と、前記第１の点から供給された第１の電流を計測する第１の電流計測手段と、前記第２の点から供給された第２の電流を計測する第２の電流計測手段とを備え、計測された第１と第２の電流からタッチ位置を算出するタッチパネル装置において、少なくとも前記第１の点と前記第１の電流計測手段の一端との接続点と前記交流電流発生手段の一端間にスイッチを介して接続されるインピーダンスと、前記スイッチＯＮしたときの電流計測手段の前記第１と第２の電流計測値から前記電流計測手段と前記導電膜との抵抗比を算出する手段と、前記スイッチをＯＦＦしたときの前記第１、第２の電流計測手段の電流計測値と前記算出された抵抗比とからタッチパネル上のタッチ位置を算出することを特徴とする。
【００１１】
このタッチパネル装置では、スイッチをＯＮしたときの電流計測手段の第１と第２の電流計測値から電流計測手段と導電膜との抵抗比を算出し、スイッチをＯＦＦしたときの電流計測手段の第１と第２の電流計測値と前記算出された抵抗比とから、タッチパネル上のタッチ位置を算出することにより、後述するように、導電膜の抵抗値のバラツキや経年変化による抵抗変化を考える必要がなく、精度の良いタッチ位置検出ができる。
【００１２】
請求項２記載のタッチパネル装置は、請求項１に係るタッチパネル装置において、
前記スイッチを一定周期でＯＮ及びＯＦＦさせ、ＯＮしたときの前記第１と第２の電流計測値あるいはこの第１と第２の電流計測値より算出した前記抵抗比を記憶しておき、この記憶された第１と第２の電流計測値あるいは抵抗比と、前記スイッチをＯＦＦしたときの第１と第２の電流計測値とからタッチパネル上のタッチ位置を算出することを特徴とする。
【００１３】
このタッチパネル装置では、一定時間毎に、導電膜の経年変化による抵抗変化を補正計算して更新記憶するので、精度の良いタッチ位置検出ができる。また、タッチ位置検出の度に前記スイッチをＯＮ、ＯＦＦさせて自己補正計算する必要がなく、計測時間が短縮できる。
【００１４】
請求項３記載のタッチパネル装置は、請求項１に係るタッチパネル装置において、前記タッチ位置の算出値に対応する補正されたタッチ位置情報からなる表を設け、前記表からタッチ位置の算出値に対応する補正されたタッチ位置を求めることを特徴とする。
【００１５】
このタッチパネル装置では、少なくとも１方向におけるタッチ位置の算出値に対応する補正されたタッチ位置情報からなる表を設けて、導電膜の抵抗によるタッチ位置のずれを補正するため、精度の良いタッチ位置検出ができる。
【００１６】
請求項４記載のタッチパネル装置は、請求項１に係るタッチパネル装置において、前記算出したタッチ位置を補正するための補正演算式を記憶しておき、算出したタッチ位置を補正演算式に適応し、タッチパネル上のタッチ位置を補正演算することを特徴とする。
【００１７】
このタッチパネル装置では、導電膜の抵抗によるタッチ位置のずれを補正するため、精度の良いタッチ位置検出ができる。
【００１８】
請求項５記載のタッチパネル装置は、請求項１、請求項２、請求項３、又は請求項４に係るタッチパネル装置において、前記タッチパネルの導電膜の外周に低抵抗の導電物からなる電極を設けたことを特徴とする。
【００１９】
このタッチパネル装置は、導電膜より低抵抗の導電物である電極を導電膜の外周に設けることで、導電膜の抵抗によるタッチ位置のずれを軽減できる。
【００２０】
【発明の実施の形態】
以下、実施の形態により、この発明をさらに詳細に説明する。その一実施形態に係るタッチパネル装置の原理を示す概略図を図１に示す。導電膜（抵抗Ｒ0 ）の両端には、それぞれ電流計測用抵抗器ＲK 、ＲK の一端が接続され、電流計測用抵抗器ＲK 、ＲK の他端は共通接続点を有し、発振器ｅに接続されている。この発振器ｅの他端は接地されている。導電膜の一端とこれに接続される一方の電流計測用抵抗器ＲK の接続点から、スイッチＳを介して抵抗器Ｒz が接地されている。
【００２１】
ここで、スイッチＳをＯＮしたとき、電流計測用抵抗器ＲK 、ＲK の両端の電圧をそれぞれＶ10、Ｖ20とすると、
【００２２】
【数２】
0003834194.tif 000003
【００２３】
この式より、Ｖ10、Ｖ20、Ｖ1 、Ｖ2 を測定することにより、Ｒ0 の値が分からなくても、指でタッチした位置を検出できる。
【００２４】
【数３】
0003834194.tif 000004
【００２５】
Ｖ10、Ｖ20は、指タッチ位置を検出する度に測定してもよいが、導電膜の抵抗値は、短時間では変化しないため、電源を投入した直後や一定周期で測定したものを記憶しておき、タッチ位置検出時に読み出してＲL ／Ｒ0 を計算すればよい。また、測定値の記憶方法は、Ｖ10、Ｖ20の値そのものに限らず、
【００２６】
【数４】
0003834194.tif 000005
【００２７】
次に、一実施形態に係るタッチパネル装置の要部構成ブロック図を図２に、タッチパネルの構成図を図３に示す。
【００２８】
タッチパネル１は、長方形のガラスあるいはフィルム等の基板２上に導電膜３が形成され、導電膜３の外周、つまり４端辺には銀やカーボン等低抵抗の導電膜からなる電極パターン４ａ、４ｂ、４ｃ、４ｄが形成されている。導電膜の抵抗値は、使用者がタッチしたときのタッチパネルと大地間の抵抗が大きい場合、Ｖ1 、Ｖ2 の変化量が小さくなり、タッチ位置が不安定になるので、Ｖ1 、Ｖ2 の変化量を大きくとれる程度の抵抗値が必要である。なお、ここでは指で導電膜にタッチする場合を想定しているが、これに代えて導電性リード線付きのタッチペンを用いてもよい。リード線はＧＮＤに接続する。このＧＮＤは大地への接続の代わりに、回路上のＧＮＤへの接続でよい。
【００２９】
更に、この電極パターンの４角から４つの外部接続用パターン５ａ、５ｂ、５ｃ、５ｄが被着されている。４つの外部接続用パターンの組み合わせにより、Ｘ軸とＹ軸とを切り替えることができる。測定時には、図３の（ｂ）に示すように、外部接続用パターン５ａと５ｂが共通接続され、外部接続用パターン５ｃと５ｄが共通接続される。このような接続により、電極パターン４ｂと４ｄ間方向に電流が流れる。また、Ｙ軸方向測定時には、図３の（ｃ）に示すように、外部接続用パターン５ａと５ｄが共通接続され、外部接続用パターン５ｂと５ｃが共通接続される。この切り替え接続により、電極パターン４ａと４ｃ間方向に電流が流れる。また、タッチパネルに被着された導電膜上に、絶縁性保護コートもしくは保護用のフィルムを設けてもよい。
【００３０】
タッチパネルに使用する基板は、特に透明でなくても良く、応用する装置により使い分ければ良い。
【００３１】
タッチパネルの外部接続用パターンは、ＸＹ切り替え回路１２に接続され、マイコン１３からの切り替え信号ＸＹＣによって、Ｘ軸方向の入力か、Ｙ軸方向の入力かを切り替える。Ｘ軸方向の入力とする場合には、図３の（ｂ）に示す接続となるように、またはＹ軸方向の入力とする場合は、図３の（ｃ）に示す接続となるように切り替える。ＸＹ切り替え回路１２の２つの出力端には、それぞれ抵抗器Ｒk の一端が接続され、抵抗器Ｒk の他端は共通接続点を有し、スイッチＣを介して一端が接地された発振器１４に接続され、マイコン１３からのＯＮ、ＯＦＦ信号ＯＳＣによって、発振出力のＯＮ、ＯＦＦ（スイッチのＯＮ、ＯＦＦ）が行われる。
【００３２】
ＸＹ切り替え回路１２の２つの出力端と抵抗器Ｒk との接続点には、それぞれスイッチＡ、Ｂの一端が接続され、スイッチＡ、Ｂの他端は共通接続点を有し，抵抗Ｒz が接続され、抵抗Ｒz の他端は接地されている。スイッチＡ、Ｂは、それぞれマイコンからのＯＮ、ＯＦＦ信号ＬＧ、ＨＧによってＯＮ、ＯＦＦされる。
【００３３】
一方、２つの抵抗器Ｒｋの両端電圧は、それぞれ差動増幅回路１５，１６に入力され、作動増幅回路１５，１６の出力は、それぞれバンドパスフィルタ１７，１８に入力され、ノイズ成分を除去された後、全波整流回路１９，２０に入力される。ここで交流電圧が直流電圧に変換され、Ａ／Ｄコンバータ２１に入力されるとともに、比較回路２２に入力される。Ａ／Ｄコンバータ２１でデジタル値に変換された出力は、抵抗器Ｒｋの両端電圧としてマイコンに入力され、後述する計算方法によりタッチ位置が計算される。比較回路２２は、全波整流回路１９、２０からの入力に応じて、タッチ有無信号ＶＴとしてマイコン１３に出力する。すなわち、Ｖ１、Ｖ２のどちらかの信号がある規定値を超えて検出された時、タッチ有りと認識する。
【００３４】
次に、初期調整について、初期調整方法を示すフローチャート図４を用いて説明する。タッチ有無検出及びタッチ位置データを検出する前に、いくつかの調整を行っておく必要がある。この調整は、タッチパネル装置において、一度だけ実行しておけば良い。
【００３５】
先ず、ステップＳＴ１において初期化を行った後、スイッチＡ、ＢをＯＮ（ステップＳＴ２）、スイッチＣをＯＦＦ（ステップＳＴ３）にして、全波整流回路１９、２０のオフセットを０に調整する（ステップＳＴ４）。次に、スイッチＣをＯＮ（ステップＳＴ５）、スイッチＡをＯＮ、スイッチＢをＯＦＦにして（ステップＳＴ６）、全波整流回路１９の増幅率Ｇ1 を調整し（ステップＳＴ７）、スイッチＡをＯＦＦ、スイッチＢをＯＮにして（ステップＳＴ８）、全波整流回路２０の増幅率Ｇ2 を調整し（ステップＳＴ９）、全波整流回路１９、２０の出力Ｖ1 、Ｖ2 が等しくなるようにする。最後にスイッチＢをＯＦＦする（ステップＳＴ１０）。もちろん、増幅率の調整は、差動増幅回路１５、１６で行っても良い。
【００３６】
次に、タッチ位置の計算について、タッチ位置計算方法を示すフローチャート図５、タッチ位置計算に使用されるＸ軸側自己補正の計算方法を示すフローチャート図６、タッチ位置計算に使用されるＹ軸側自己補正計算方法を示すフローチャート図７を用いて、説明する。
【００３７】
先ず、初期化を行った後（ステップＳＴ２１）、スイッチＡ、ＢをＯＦＦ、スイッチＣをＯＮする（ステップＳＴ２２）。ＸＹ軸切り替え回路１２によりＸ軸側に切り替えられ、Ｘ軸側自己補正の計算が行われた後（ステップＳＴ２３）、ＸＹ切り替え回路１２によりＹ軸側に切り替えられ、Ｙ軸側自己補正の計算が行われる（ステップＳＴ２４）。計算処理はマイコン１３内で行われる。
【００３８】
Ｘ軸側自己補正の計算では、タッチパネルからの入力をＸ軸側に切り替え（ステップＳＴ４２）、タッチ有無信号ＶT がない時（ＶT ：“Ｌ”）、スイッチＡをＯＮし（ステップＳＴ４４）、このときのＶ1 、Ｖ2 からＲK ／Ｒ0X＝Ｖ2 ／（Ｖ1 −Ｖ2 ）を計算し（ステップＳＴ４５）、スイッチＡをＯＦＦする（ステップＳＴ４６）。このときタッチ有無信号ＶT がないと、Ｒk ／ＲOXの値がマイコン１５に記憶され（ステップＳＴ４７、ＳＴ４８）、タッチ有無信号ＶT があると（ＶT ：“Ｈ”）補正計算が正しく行われていないため、計算値を破棄し（ステップＳＴ４７、ＳＴ４９）、ステップＳＴ４３のタッチ有無信号ＶT の確認まで戻り、再度計算をやり直す。ここでは、タッチ有無信号ＶT は比較回路２２へのＶ1 、Ｖ2 入力を用い、あるしきい値より大きくなった時に、タッチに認識し、タッチ検出処理へ移行するようにしているが、微分回路を用い、タッチ有無信号を微分による変化量により判定するようにしてもよい。
【００３９】
Ｙ軸側自己補正の計算もステップＳＴ５１〜ＳＴ５９の処理で、Ｘ軸側自己補正の計算と同時に行われ、Ｒk ／ＲOYの値がマイコンに記憶される。
【００４０】
人がタッチパネルにタッチし、タッチ有無信号ＶT が“Ｈ”になると（ステップＳＴ２５）、先ずタッチパネルからの入力をＸ軸側に切り替え（ステップＳＴ２６）、このときのＶ1 、Ｖ2 と、既に記憶されているＸ軸側のＲk ／ＲOXにより、ＲLX／ＲOXが計算される（ステップＳＴ２７）。次に、タッチパネルからの入力をＹ軸側に切り替え（ステップＳＴ２８）、この時のＶ1 、Ｖ2 と、既に記憶されているＹ軸側のＲk ／ＲOYにより、ＲLX／ＲOYが計算される（ステップＳＴ２９）。引き続き、タッチ有無信号ＶT を観測し（ステップＳＴ３０）、タッチ有無信号ＶT が“Ｈ”であれば、今回の計算値ＲLX／ＲOX、ＲLX／ＲOYがタッチ位置として出力され（ステップＳＴ３１）、タッチ有無信号ＶT が“Ｌ”であれば、タッチ位置計算は正しく行われていないため、今回の計算値ＲLX／ＲOX、ＲLY／ＲOYは破棄され（ステップＳＴ３２）、ステップＳＴ２５に戻り、待機状態（タッチ有無信号ＶT が“Ｈ”になるのを待つ）となる。
【００４１】
一方、この待機状態の時、図８に示すように、ある一定の時間をカウントし（ステップＳＴ６１、ＳＴ６２）、一定時間毎にＸ軸側自己補正（ステップＳＴ６３）、及びＹ軸側自己補正の計算（ステップＳＴ６４）が行われ、Ｒk ／ＲOX、Ｒk ／ＲOYの値が更新される。従って、タッチパネル上の導電膜の抵抗値がばらついても、また、経年変化により抵抗値が変化しても、更新されたＲk ／ＲOX、Ｒk ／ＲOYの値によってタッチ位置が精度良く計算され、精度の良い検出が行われる。また、タッチパネルも安価になる。
【００４２】
実際のタッチパネルでは、低抵抗の導電膜からなる電極パターンは抵抗を有しているため、図９に示すように、Ｘ軸またはＹ軸の両辺では、ＲL ／Ｒ0 の値は、コーナ部では０または１となり、コーナ部から外れた部分では０または１から離れた値となる。従って、精度良くタッチ位置を検出するには、ＲL ／Ｒ0 の値を補正する必要がある。なお、パネルのタッチ部の導電膜の抵抗値とパネル周囲の電極抵抗の値を調整することにより、パネル周辺部の曲線現象は、ある程度直線にすることができる。タッチ部の導電膜は数百Ω／方形から数ＫΩ／方形が望ましい。電極抵抗は数Ωから数ＫΩが望ましく、透明導電膜より低い値でなければならない。
【００４３】
次に、一実施形態に係るタッチパネル装置のタッチ位置検出座標（Ｘ、Ｙ）の補正表を図１０に示す。
【００４４】
補正表のＸ0 、Ｘ1 、Ｘ2 、……、Ｘn 、Ｙ0 、Ｙ1 、Ｙ2 、……、Ｙn は、前記タッチ位置の計算で求められたＸ軸、Ｙ軸に対応する値ＲLX／ＲOX、ＲLX／ＲOYで、この値に対する実際のタッチパネル上での位置座標を標準のタッチパネルで実測して補正表は作られる。この補正表の情報をタッチパネル装置内に記憶しておき、人がタッチパネルにタッチし、前記タッチ位置の計算方法でＸ＝ＲLX／ＲOX及びＹ＝ＲLY／Ｒ0Yが求められると、そのＸ、Ｙに対応したタッチ座標（ｘ、ｙ）が補正表から読み出され、タッチ位置座標として出力される。
【００４５】
タッチパネルの面積が大きくなるなどして、タッチ位置座標の分解能が多くなり、タッチパネル内の記憶容量が多く必要な場合は、補正表のＸ、Ｙの分割間隔を大きくして、記憶する容量を減らし、補正表にないＸ、Ｙ（Ｘn-1 とＸn との間、Ｙn-1 とＹn との間）については、補間法等により値を計算しても良い。
【００４６】
また、前記補正表によらず、実測による標準のタッチパネルにおける座標と、前記タッチ位置の計算方法で求められたＸ＝ＲLX／ＲOX及びＹ＝ＲLY／Ｒ0Yの値との関係から近似式を求め、この近似式を用いてマイコン等で計算処理し、タッチ位置座標として出力しても良い。
【００４７】
ここでは、Ｘ軸及びＹ軸の２方向について説明したが、タッチパネル形状が多角形や曲線で囲まれた形状における多軸方向を有するものについても、同様に行うことができる。
【００４８】
【発明の効果】
本発明のタッチパネル装置は、以上説明したように構成されるので、次の効果を有する。
【００４９】
（１）請求項１の構成では、スイッチをＯＮした時の電流計測手段の第１と第２の電流計測値から電流計測手段と導電膜の抵抗比を算出し、スイッチをＯＦＦした時の電流計測手段の第１と第２の電流計測値と前記算出された抵抗比とから、タッチパネル上のタッチ位置を自己補正を含めて算出することにより、タッチパネル上の導電膜の抵抗値がばらついても、また、経年変化により抵抗値が変化しても、それに応じた比率が第１と第２の電流値から求まるので、タッチ位置が精度良く計算され、精度の良い検出が行われる。また、タッチパネルを安価なものとすることができる。
【００５０】
（２）請求項２の構成では、待機状態の時、ある一定の時間をカウントし、一定時間毎にＸ軸側自己補正及びＹ軸側自己補正の計算が行われ、Ｒk ／ＲOX、Ｒk ／ＲOYの値が更新される。従って、タッチパネル上の導電膜が経年変化により変化しても、更新されたＲk ／ＲOX、Ｒk ／ＲOYの値によってタッチ位置が精度良く計算され、精度の良い検出が行われる。また、タッチ位置検出の度に前記スイッチをＯＮ、ＯＦＦさせて、自己補正計算する必要がなく、計測時間が短縮できる。
【００５１】
（３）請求項３及び請求項４の構成では、少なくとも１方向におけるタッチ位置の算出値に対応する補正されたタッチ位置情報からなる表を設けて、導電膜の抵抗によるタッチ位置のずれを補正するため、パターンは抵抗を有していても、精度の良いタッチ位置検出ができる。また、あらゆるタッチパネルの形状や導電膜の特性にも対応できるタッチパネル装置を提供できる。
【００５２】
（４）請求項５の構成では、タッチパネルの導電膜の外周に低抵抗の導電物からなる電極を設けているので、電極の方が導電膜より抵抗が小さく、導電膜の抵抗による位置ずれを軽減できる。
【図面の簡単な説明】
【図１】一実施形態に係るタッチパネル装置の原理を示す概略図である。
【図２】一実施形態に係るタッチパネル装置の要部構成ブロック図である。
【図３】一実施形態に係るタッチパネル装置のタッチパネル構成図である。
【図４】一実施形態に係るタッチパネル装置の初期調整方法を示すフロー図である。
【図５】一実施形態に係るタッチパネル装置のタッチ位置計算を示すフロー図である。
【図６】一実施形態に係るタッチパネル装置のタッチ位置計算に使用されるＸ軸自己補正の計算方法を示すフロー図である。
【図７】一実施形態に係るタッチパネル装置のタッチ位置計算に使用されるＹ軸自己補正の計算方法を示すフロー図である。
【図８】図６に示すフロー図においてのタイマ割り込みを示すフロー図である。
【図９】一実施形態に係るタッチパネル装置のＶ1 、Ｖ2 で計算した時のＲL ／Ｒ0 がとる値の範囲を示す図である。
【図１０】一実施形態に係るタッチパネル装置のタッチ位置検出座標（ｘ、ｙ）の補正表である。
【図１１】従来のタッチパネル装置のタッチ位置検出原理を示す概略図である。
【符号の説明】
Ｒk 、Ｒk               電流計測用抵抗
Ｒ0                     導電膜抵抗
Ｒz                     補正用インピーダンス
Ｓ                      スイッチ
ｅ、１４                発振器
１、１１                タッチパネル
２                      基板
３                      導電膜
４ａ、４ｂ、４ｃ、４ｄ  電極パターン
５ａ、５ｂ、５ｃ、５ｄ  外部接続用パターン
【図１】
0003834194.tif 000006
【図２】
0003834194.tif 000007
【図３】
0003834194.tif 000008
【図４】
0003834194.tif 000009
【図５】
0003834194.tif 000010
【図６】
0003834194.tif 000011
【図７】
0003834194.tif 000012
【図８】
0003834194.tif 000013
【図９】
0003834194.tif 000014
【図１０】
0003834194.tif 000015
【図１１】
0003834194.tif 000016